(57)【要約】【課題】表示部が後傾姿勢で配される小型で簡易な構成の表示装置及びテレビジョン受信機を提供する。【解決手段】表示部２を支持する支持柱３は、載置基板４の天面側に設けられた傾斜取付面４１に載置されて取り付けられる。換言すれば、支持柱３は傾斜取付面４１によって下側から支持される。このため、支持柱３が下方へ脱落する虞はない。このような表示装置は構成が簡易である。また、載置基板４を貫通しない支持柱３は、傾斜取付面４１よりも下側に配すべき部分を必要としない。つまり、支持柱３は、載置基板４を貫通して載置基板４に取り付けられる場合に比べて小型化される。支持柱３の取付基部３２が傾斜取付面４１に取り付けられた場合、取付先端部３１は後傾姿勢で配される。後傾姿勢で配された取付先端部３１に取り付けられた表示部２は、後傾姿勢で配される。【選択図】図１０
2015018184.tif 000002
【特許請求の範囲】
【請求項１】
後傾姿勢で配される表示部と、
該表示部を支持する支持柱と、
該支持柱を一面側で支持し、他面側を下側にして載置される載置基板と
を備える表示装置において、
前記支持柱は、
前記表示部の背面側に取り付けられる取付先端部と、
該取付先端部に対して垂直に配され、前記載置基板に取り付けられる取付基部と
を有し、
前記載置基板は、
前記取付基部が載置されて取り付けられ、後方に向けて下降傾斜する傾斜取付面を前記一面側に有することを特徴とする表示装置。
【請求項２】
前記載置基板は、
前記表示部に電気的に接続される電気機器が載置されて取り付けられ、前記載置基板が載置された場合に外部に接触する部分を通る前記他面側の仮想的な平面に対して平行な平行載置面を有することを特徴とする請求項１に記載の表示装置。
【請求項３】
前記載置基板は、
金属板を用いてなり、
前記一面側に台状に突出する突出部を有し、
前記傾斜取付面は、前記突出部に設けられていることを特徴とする請求項１又は２に記載の表示装置。
【請求項４】
後傾姿勢で配される表示部と、
該表示部を支持する支持柱と、
該支持柱を一面側で支持し、他面側を下側にして載置される載置基板と
を備える表示装置において、
前記支持柱は、
前記表示部の背面側に取り付けられる取付先端部と、
該取付先端部に対して直角より小さい所定傾斜角度で配され、前記載置基板に取り付けられる傾斜基部と
を有し、
前記載置基板は、
前記傾斜基部が載置されて取り付けられ、前記載置基板が載置された場合に外部に接触する部分を通る前記他面側の仮想的な平面に対して平行な平行取付面を一面側に有することを特徴とする表示装置。
【請求項５】
請求項１から４の何れかひとつに記載の表示装置と、
テレビジョン放送を受信する受信部と
を備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示部が後傾姿勢で配される表示装置及びテレビジョン受信機に関する。
【背景技術】
【０００２】
従来、表示部と、表示部を支持する支柱と、支柱を支持し、所定面に載置される基部とを備える表示装置が提案されている（特許文献１，２参照）。
特許文献１は、支柱にスィーベル機構が設けられている表示装置に言及している。スィーベル機構は、表示部を左右方向に首振り可能とする。このため、表示部の配置角度を変更することができる。しかしながら、スィーベル機構を有する表示装置は構造が複雑である。
【０００３】
特許文献２に記載の表示装置は、各１個の表示部（文中「表示デバイス」）及び基部と、２個の支柱とを備える。各支柱は、基部に対して垂直な第１取付部と、基部に対して傾斜する第２取付部とを有する。作業者が第１取付部を正面側にして各支柱を基部に取り付け、第１取付部を表示部に取り付ければ、表示部が鉛直姿勢で配された表示装置が得られる。一方、作業者が第２取付部を正面側にして各支柱を基部に取り付け、第２取付部を表示部に取り付ければ、表示部が後傾姿勢で配された表示装置が得られる。このような表示装置は構造が簡単である。
【先行技術文献】
【特許文献】
【０００４】
【特許文献１】特開２００７−１５６３５３号公報
【特許文献２】特開２０１１−１７０３５６号公報
【発明の概要】
【発明が解決しようとする課題】
【０００５】
特許文献２に記載の表示装置の場合、基部に孔が設けられている。支柱は、基部の底側から天側へ向けてこの孔へ挿入されることによって、基部に取り付けられる。特許文献２に記載の［図７］を参照すれば、基部が所定面に載置されると共に、支柱の下部も所定面に載置される、と考えられる。
ところで、支柱を高さ方向に小型化するために、支柱の下部を所定面から離隔させることが考えられる。
しかしながら、この場合、基部を貫通している支柱が下方へ脱落しないよう、基部に対する支柱の取り付けを強固にする必要がある。故に、表示装置の構造が複雑になる虞がある。
【０００６】
本発明は斯かる事情に鑑みてなされたものであり、その主たる目的は、表示部が後傾姿勢で配される小型で簡易な構成の表示装置及びテレビジョン受信機を提供することにある。
【課題を解決するための手段】
【０００７】
本発明に係る表示装置は、後傾姿勢で配される表示部と、該表示部を支持する支持柱と、該支持柱を一面側で支持し、他面側を下側にして載置される載置基板とを備える表示装置において、前記支持柱は、前記表示部の背面側に取り付けられる取付先端部と、該取付先端部に対して垂直に配され、前記載置基板に取り付けられる取付基部とを有し、前記載置基板は、前記取付基部が載置されて取り付けられ、後方に向けて下降傾斜する傾斜取付面を前記一面側に有することを特徴とする。
【０００８】
本発明に係る表示装置は、前記載置基板は、前記表示部に電気的に接続される電気機器が載置されて取り付けられ、前記載置基板が載置された場合に外部に接触する部分を通る前記他面側の仮想的な平面に対して平行な平行載置面を有することを特徴とする。
【０００９】
本発明に係る表示装置は、前記載置基板は、金属板を用いてなり、前記一面側に台状に突出する突出部を有し、前記傾斜取付面は、前記突出部に設けられていることを特徴とする。
【００１０】
本発明に係る表示装置は、前記傾斜取付面の傾斜角度は２°以上10°以下であることを特徴とする。
【００１１】
本発明に係る表示装置は、後傾姿勢で配される表示部と、該表示部を支持する支持柱と、該支持柱を一面側で支持し、他面側を下側にして載置される載置基板とを備える表示装置において、前記支持柱は、前記表示部の背面側に取り付けられる取付先端部と、該取付先端部に対して直角より小さい所定傾斜角度で配され、前記載置基板に取り付けられる傾斜基部とを有し、前記載置基板は、前記傾斜基部が載置されて取り付けられ、前記載置基板が載置された場合に外部に接触する部分を通る前記他面側の仮想的な平面に対して平行な平行取付面を一面側に有することを特徴とする。
【００１２】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【発明の効果】
【００１３】
本発明の表示装置及びテレビジョン受信機による場合、支持柱は載置基板を貫通しておらず、載置基板の傾斜取付面又は平行取付面によって下側から支持される。このため、支持柱が下方へ脱落することを抑制することができる。
傾斜取付面又は平行取付面に支持柱を載置して取り付ける構成は簡易である。従って、このような表示装置は構成が簡易である。
【００１４】
また、載置基板を貫通しない支持柱は、傾斜取付面又は平行取付面よりも下側に配される部分を必要としない。つまり、支持柱を小型化することができる。
更に、支持柱が傾斜取付面又は平行取付面に取り付けられることによって、支持柱の取付先端部が後傾姿勢で配されるため、表示部を後傾姿勢で配することができる。
【図面の簡単な説明】
【００１５】
【図１】本発明の実施の形態１に係る表示装置を備えるテレビジョン受信機の構成を示す正面側の斜視図である。
【図２】テレビジョン受信機の構成を示す背面側の斜視図である。
【図３】テレビジョン受信機の構成を示す側面図である。
【図４】表示装置が備える支持柱の構成を示す側面図である。
【図５】支持柱の構成を示す斜視図である。
【図６】表示装置が備える載置基板の構成を示す平面図である。
【図７】図６におけるＶII−ＶII線の断面図である。
【図８】表示装置が備える載置基板の構成を示す斜視図である。
【図９】載置基板に支持柱を取り付けた状態を示す斜視図である。
【図１０】載置基板に支持柱を取り付けた状態を示す側面図である。
【図１１】支持柱が取り付けられている載置基板に光ディスクドライブを取り付けた状態を示す斜視図である。
【図１２】表示装置の構成を示す側面概略図である。
【図１３】表示装置の利点を説明するための概略図（表示部鉛直）である。
【図１４】表示装置の利点を説明するための概略図（表示部後傾）である。
【図１５】本発明の実施の形態２に係る表示装置の構成を示す側面概略図である。
【発明を実施するための形態】
【００１６】
以下、本発明を、その実施の形態を示す図面に基づいて詳述する。以下の説明では、図において矢符で示す上下、前後、及び左右を使用する。また、前側及び後ろ側を正面側及び背面側ともいう。更に、上下方向及び左右方向を縦方向及び横方向ともいう。
【００１７】
実施の形態  １．
図１及び図２、並びに図３は、本発明の実施の形態１に係る表示装置１１を備えるテレビジョン受信機１の構成を示す正面側及び背面側の斜視図、並びに側面図である。
テレビジョン受信機１は、表示装置１１、受信部１２、光ディスクドライブ（電気機器）１３、磁気ディスクドライブ１４、２個のスピーカ１５，１５、及び制御部１６を備えている。
表示装置１１は、表示部２、２個の支持柱３，３、及び載置基板４を備えている。
図１〜図３には、表示部２及びスピーカ１５，１５等を覆うフロントキャビネット、表示部２及び受信部１２等を覆うリアキャビネット、並びに光ディスクドライブ１３及び磁気ディスクドライブ１４を覆うカバーを、テレビジョン受信機１から取り外した状態が示してある。
【００１８】
テレビジョン受信機１は据え置き型である。載置基板４は、平坦な載置面Ｔ（例えば一般的なテレビボード又はＡＶラック等の天面）に載置される。載置基板４には支持柱３，３及び光ディスクドライブ１３が配されている。光ディスクドライブ１３の上側には磁気ディスクドライブ１４が配されている。支持柱３，３は表示部２を後傾姿勢で支持している。表示部２の背面側には受信部１２及び制御部１６が配されている。表示部２の下側にはスピーカ１５，１５が配されている。
【００１９】
まず、表示装置１１の表示部２と、制御部１６、光ディスクドライブ１３、磁気ディスクドライブ１４、スピーカ１５，１５、及び受信部１２とについて説明する。
表示部２は、矩形状の液晶表示パネルを用いてなる。表示部２は、正面側に表示面２ａを有する。表示部２の背面における左右方向中央下部には、図示しない８個のネジ穴が配されている。ネジ穴は、上下左右方向に離隔配置された４個ずつが、表示部２の背面における左右方向中央下部の左側部及び右側部夫々に配されている。
制御部１６は、テレビジョン受信機１の各部の動作を制御する制御回路と、この制御回路が実装された回路基板と、これらを覆うシールドケースとを有する。制御部１６は、表示部２の背面における右側部に取り付けられている。制御部１６は、表示部２に電気的に接続されている。
【００２０】
光ディスクドライブ１３は、例えばブルーレイ（登録商標）ディスクドライブ又はＤＶＤドライブ等である。光ディスクドライブ１３の左右両端底部には、補助金具１３１，１３１（右側の補助金具１３１のみ図示）が突設されている。補助金具１３１は横姿勢の平板状になしてあり、図示しない３個の貫通孔が前後方向に並設されている。
磁気ディスクドライブ１４は、例えばハードディスクドライブである。磁気ディスクドライブ１４は、光ディスクドライブ１３よりも小型である。
光ディスクドライブ１３及び磁気ディスクドライブ１４夫々は、制御部１６に接続されている。
スピーカ１５，１５は、表示部２の左右両側下部に取り付けられている。スピーカ１５，１５は、制御部１６に電気的に接続されている。
【００２１】
受信部１２は、図示しないアンテナを介して外部からテレビジョン放送を受信する受信回路と、この受信回路が実装された回路基板とを有する。受信部１２は、表示部２の背面における左側部に取り付けられている。受信部１２は、制御部１６に電気的に接続されている。
受信部１２は、受信したテレビジョン放送から放送信号を取り出す。取り出された放送信号は、所定の信号処理を施されることによって、映像データ及び音声データに変換される。
【００２２】
映像データは制御部１６を介して表示部２へ出力される。表示部２は、入力された映像データに基づく映像を、表示面２ａに表示する。つまり、表示部２は、受信部１２が受信したテレビジョン放送に基づく映像を表示する。
音声データは制御部１６を介してスピーカ１５，１５へ出力される。スピーカ１５，１５は、入力された音声データに基づく音声を出力する。
映像データ及び音声データは、制御部１６を介して光ディスクドライブ１３又は磁気ディスクドライブ１４へ出力されることもある。光ディスクドライブ１３及び磁気ディスクドライブ１４夫々は、自身に入力された映像データ及び音声データを記録する。記録された映像データ及び音声データが制御部１６を介して表示部２及びスピーカ１５，１５へ出力されれば、映像及び音声が再生される。
【００２３】
次に、表示装置１１の支持柱３，３について説明する。
支持柱３，３は、載置基板４の天面側にて左右方向に離隔配置される。右側に配される支持柱３と左側に配される支持柱３とは鏡像対称形状をなしている。以下では、特に断りがない限り、右側の支持柱３について説明する。
図４は、表示装置１１が備える支持柱３の構成を示す側面図である。
図５は、支持柱３の構成を示す斜視図である。
支持柱３は金属製であり、横姿勢で配される平板状の取付基部３２と、夫々縦姿勢で配される平板状の取付板部３３、及び側板部３４１，３４２とを一体的に有する。
取付基部３２は矩形状になしてある。取付基部３２には、前後左右方向に離隔配置された４個の貫通孔３２１，３２１，…が設けられている。取付基部３２の底面には、位置決め突起３２２，３２２が設けられている。各位置決め突起３２２は、前後方向に隣り合う２個の貫通孔３２１，３２１間に配されている。
【００２４】
取付板部３３は、大略矩形状になしてある。取付板部３３は、取付基部３２に垂直に、取付基部３２の前端部に突設されている。取付板部３３の先端部分は、取付先端部３１である。従って、取付先端部３１は取付板部３３に対して垂直に配されている。
取付先端部３１には、上下左右方向に離隔配置された４個の貫通孔３１１，３１１，…が設けられている。
側板部３４１，３４２は、取付基部３２及び取付板部３３の両方に垂直に配されて、取付基部３２と取付板部３３とを連結している。側板部３４１（又は側板部３４２）は、取付基部３２及び取付板部３３夫々の左端部（又は右端部）に突設されている。側板部３４１，３４２は、取付基部３２及び取付板部３３夫々の機械的強度を向上する補強部として機能する。
【００２５】
右側に配される支持柱３の場合、左側の側板部３４１は、後述する第１装着金具１４１及び第２装着金具１４２を直接的に又は間接的に支持する金具支持部としても機能する。このために、側板部３４１には、各２個の突起３６１，３６１及び貫通孔３６２，３６２が設けられている。突起３６１，３６１及び貫通孔３６２，３６２は、前側から後ろ側へ突起３６１、貫通孔３６２，３６２、及び突起３６１の順に並設されており、取付基部３２から突起３６１，３６１及び貫通孔３６２，３６２夫々までの離隔距離は、前側のものほど短い。
一方、左側に配される支持柱３の場合、右側の側板部３４２に突起３６１，３６１及び貫通孔３６２，３６２が設けられている。
【００２６】
ここで、第１装着金具１４１について説明する。
第１装着金具１４１は、左側及び右側の支持柱３，３に、１個ずつ配される。２個の第１装着金具１４１，１４１は、鏡像対称形状になしてある。
各第１装着金具１４１は、アングル状の金属部材である。第１装着金具１４１は、一面部を上側に向けた横姿勢で前後方向に配される。第１装着金具１４１の上面部には、前後方向に離隔配置された２個の貫通孔１４３，１４３が設けられている（後述する図９参照）。第１装着金具１４１の側面部には、突起３６１，３６１が挿入される２個の挿入孔と、貫通孔３６２，３６２に対応する２個の貫通孔とが設けられている（各不図示）。
【００２７】
第２装着金具１４２は、板状の金属部材である。第２装着金具１４２の左右方向中央部は、平板状になしてある。第２装着金具１４２の左右両端部には、一面部を上側に向けた横姿勢で前後方向に配されたアングル状の立ち上がり部１４４，１４４が一体に設けてある。立ち上がり部１４４，１４４は、夫々の側面部が第２装着金具１４２の左右両端部から立ち上がり、上面部が互いに背離している。各立ち上がり部１４４の上面部には、第１装着金具１４１の貫通孔１４３，１４３に対応する図示しない２個の貫通孔が設けられている。
【００２８】
次に、表示装置１１の載置基板４について説明する。
図６は、表示装置１１が備える載置基板４の構成を示す平面図である。
図７は、図６におけるＶII−ＶII線の断面図である。
図８は、表示装置１１が備える載置基板４の構成を示す斜視図である。
載置基板４は、平面視大略半円状の板状になしてある。載置基板４は、半円の弦側が前側であり、弧側が後ろ側である。載置基板４は、傾斜取付面４１及び平行載置面４２を有する。
【００２９】
載置基板４の天面側には、２個の突出台部４３，４３が設けられている。各突出台部４３は、載置基板４の左半分（又は右半分）の前後左右方向中央部に配されている。左側の突出台部４３と右側の突出台部４３とは、鏡像対称形状になしてある。以下では、特に断りがない限り、左側の突出台部４３について説明する。
突出台部４３の天面は平面状になしてある。突出台部４３の天面は、載置基板４が底面側を下側に向けて任意の平坦面（例えば載置面Ｔ）に載置された場合にこの平坦面に接触する部分を通る底面側の仮想的な平面Ｐに平行である。図７には、この仮想的な平面Ｐが二点鎖線で示してある。
【００３０】
各突出台部４３の天面における前半部分の左側には、台状の突出部４０が設けられている。突出部４０の天面は傾斜取付面４１である。
傾斜取付面４１は、支持柱３の取付基部３２よりも面積が広い矩形平面状になしてある。傾斜取付面４１は、後方に向けて下降傾斜している。傾斜取付面４１には、前後左右方向に離隔配置された４個の貫通孔４１１，４１１，…が、取付基部３２の貫通孔３２１，３２１，…に対応する位置に設けられている。また、傾斜取付面４１には、位置決め孔４１２，４１２が設けられている。各位置決め孔４１２は、前後方向に隣り合う２個の貫通孔４１１，４１１間に配されている。位置決め孔４１２，４１２には取付基部３２の位置決め突起３２２，３２２が挿入可能である。
突出台部４３の天面に対する傾斜取付面４１の傾斜角度θ（図１２参照）は、２°以上10°以下である。
【００３１】
平行載置面４２は、突出台部４３の天面における後半部分及び前半部分の右側である。平行載置面４２には、２個の貫通孔４２１，４２１と、各１個の位置決め突起４２２、係止部４２３、及びスペーサ４２４とが設けられている。
貫通孔４２１，４２１は、突出台部４３の天面の後半部分における左右方向中央部にて前後方向に並設してある。位置決め突起４２２は貫通孔４２１，４２１間に配されている。
係止部４２３は、突出台部４３の天面における前半部分の右前側に配されている倒立Ｌ字状の切り起こし部である。
スペーサ４２４は、突出台部４３の天面における右端部に突設されている。スペーサ４２４の突出量は、補助金具１３１の厚みに等しい。
以上のような載置基板４は、予め適宜の形状に切り出した金属平板に、プレス絞り加工処理及び打ち抜き加工処理等を施すことによって、容易に得ることができる。
【００３２】
次に、テレビジョン受信機１の組み立てについて説明する。
図９及び図１０は、載置基板４に支持柱３，３を取り付けた状態を示す斜視図及び側面図である。図９及び図１０では、取付先端部３１の貫通孔３１１，３１１，…夫々にネジが挿通されている状態が示されている。
図１１は、支持柱３，３が取り付けられている載置基板４に光ディスクドライブ１３及び磁気ディスクドライブ１４を取り付けた状態を示す斜視図である。図１１では、取付先端部３１の貫通孔３１１，３１１，…夫々にネジが挿通されている状態が示されている。
【００３３】
まず、作業者は、支持柱３，３及び載置基板４を準備する。
次に、作業者は、左側（及び右側）の支持柱３を、載置基板４における左側（及び右側）の傾斜取付面４１に取り付ける（図９及び図１０参照）。
更に詳細には、作業者は、例えば左側の支持柱３に関し、取付板部３３を前側に向けて、取付基部３２の位置決め突起３２２，３２２を傾斜取付面４１の位置決め孔４１２，４１２に天面側から挿入することによって、取付基部３２を載置基板４の傾斜取付面４１に対して位置決めする。次いで、作業者は、取付基部３２の各貫通孔３２１と、傾斜取付面４１の貫通孔３２１に対応する貫通孔４１１とにボルトを挿通し、取付基部３２を傾斜取付面４１にボルトナット留めする。
この結果、各支持柱３の取付基部３２は、傾斜取付面４１と同様に傾斜角度θで後方へ傾斜する。従って、各支持柱３の取付板部３３、延いては取付先端部３１は、平行載置面４２に対して傾斜角度θの後傾姿勢で配される。また、各支持柱３の突起３６１，３６１及び貫通孔３６２，３６２の並設方向は、平行載置面４２に平行になる。
【００３４】
次に、作業者は、２本の第１装着金具１４１，１４１を準備する。
次いで、作業者は、左側の第１装着金具１４１を、左側の支持柱３の側板部３４１に取り付ける（図９及び図１０参照）。このとき、側板部３４１の突起３６１，３６１が第１装着金具１４１の側面部の挿入孔に挿入され、側板部３４１の貫通孔３６２，３６２と、第１装着金具１４１の側面部の対応する貫通孔とを通して、第１装着金具１４１の側面部が支持柱３の側板部３４１にボルトナット留めされる。この結果、第１装着金具１４１の上面部は平行載置面４２に平行に配される。
同様に、作業者は、右側の第１装着金具１４１を、右側の支持柱３の側板部３４２に取り付ける。
【００３５】
次に、作業者は、受信部１２、スピーカ１５，１５、及び制御部１６が取り付けられた表示部２を準備する。
作業者は、表示部２の背面に、支持柱３，３の取付先端部３１，３１を取り付ける（図１〜図３、及び図１０参照）。
具体的には、作業者は、左側の支持柱３に関し、取付先端部３１の貫通孔３１１，３１１，…と、表示部２の背面における左右方向中央下部の左側部の４個のネジ穴とを対応させ、各貫通孔３１１にネジを挿通して、取付先端部３１を表示部２の背面にネジ留めする。また、作業者は、右側の支持柱３に関し、取付先端部３１の貫通孔３１１，３１１，…と、表示部２の背面における左右方向中央下部の右側部の４個のネジ穴とを対応させ、各貫通孔３１１にネジを挿通して、取付先端部３１を表示部２の背面にネジ留めする。以上の結果、表示部２は、取付先端部３１，３１（及び取付板部３３，３３）に平行に配される。
従って、表示部２は、支持柱３の取付板部３３と同様に傾斜角度θの後傾姿勢で配される。
【００３６】
更に、作業者は、光ディスクドライブ１３、磁気ディスクドライブ１４，及び次に第２装着金具１４２を準備する。
作業者は、光ディスクドライブ１３を左右両側の平行載置面４２，４２に架け渡すようにして載置し、光ディスクドライブ１３を平行載置面４２，４２に取り付ける。このとき、作業者は、各補助金具１３１の前後方向中央部の貫通孔に、平行載置面４２の位置決め突起４２２を下側から挿入することによって位置決めを行なう。また、作業者は、各補助金具１３１の前側及び後ろ側の貫通孔と平行載置面４２の貫通孔４２１，４２１とを対応させてこれらにボルトを挿通させ、補助金具１３１を平行載置面４２にボルトナット留めする。更に、作業者は、係止部４２３を光ディスクドライブ１３の前部に係止させる。
スペーサ４２４は、光ディスクドライブ１３の底面を下側から支持する。このため、補助金具１３１の厚みによって光ディスクドライブ１３が無用に浮くことが抑制される。
【００３７】
更に、作業者は、第２装着金具１４２の左右方向中央部の上面に磁気ディスクドライブ１４を装着する。そして、作業者は、第２装着金具１４２を左右の第１装着金具１４１，１４１に架け渡すようにして載置し、取り付ける。このとき、作業者は、第１装着金具１４１の各貫通孔１４３と第２装着金具１４２の立ち上がり部１４４の貫通孔とを対応させてこれらにボルトを挿通し、第１装着金具１４１の上面部に立ち上がり部１４４の上面部をボルトナット留めする。以上の結果、第２装着金具１４２の左右方向中央部、更には磁気ディスクドライブ１４は、平行載置面４２に平行に配される。
【００３８】
このようにして組み立てられたテレビジョン受信機１は載置面Ｔに据え置かれる。このとき、載置基板４の各平行載置面４２は載置面Ｔに平行に配され、載置基板４の各傾斜取付面４１と各支持柱３の取付基部３２とは、載置面Ｔに対して傾斜角度θで後方へ傾斜する。従って、各支持柱３の取付先端部３１、延いては表示部２は、載置面Ｔに対して傾斜角度θの後傾姿勢で配される。また、光ディスクドライブ１３及び磁気ディスクドライブ１４は載置面Ｔに平行に配される。
テレビジョン受信機１を表示部２の正面側から見ると、表示部２の下側には、左側から順に、左側のスピーカ１５、左側の支持柱３、光ディスクドライブ１３、右側の支持柱３、及び右側のスピーカ１５が、横方向に並置されており、磁気ディスクドライブ１４は表示部２の背後に配されている。
【００３９】
次に、表示装置１１の利点を述べる。
図１２は、表示装置１１の構成を示す側面概略図である。
図１２には、支持柱３の取付先端部３１を含む取付板部３３と取付基部３２とが記載されており、側板部３４１，３４２の記載は省略されている。図１２には光ディスクドライブ１３も記載されているが、光ディスクドライブ１３は、わかり易いよう便宜的に、支持柱３よりも後ろ側に記載してある。
図１３及び図１４は、表示装置１１の利点を説明するための概略図である。図１３及び図１４は、図１２に対応する。図１３は、表示部２が鉛直姿勢で配されている構成を示す側面概略図であり、図１４は、表示部２が後傾姿勢で配されている構成を示す側面概略図である。
【００４０】
図１３に示す表示装置は、表示装置１１と略同様の構成である。ただし、載置基板４は、突出部４０に替えて、突出部４００を有する。突出部４０の天面は傾斜取付面４１であるが、突出部４００の天面は平行載置面４２に平行な平行取付面４４である。平行取付面４４に支持柱３の取付基部３２が取り付けられると、取付板部３３、延いては取付先端部３１が平行載置面４２に垂直に配される。この結果、表示部２は鉛直姿勢で配される。
また、図１３に示す表示装置は、載置基板４の前部に、前方への延設部４５が設けられている。
【００４１】
図１４に示す表示装置は、表示装置１１と略同様の構成である。ただし、載置基板４には、突出部４０，４０及び突出台部４３，４３が設けられていない。載置基板４の天面は、全体的に後方へ傾斜している。載置基板４の天面の一部は傾斜取付面として用いられ、天面の他部に光ディスクドライブ１３が取り付けられる。この場合、表示部２は傾斜角度θの後傾姿勢で配されるが、光ディスクドライブ１３も傾斜角度θの後傾姿勢で配される。
【００４２】
さて、表示装置１１の場合（図１２参照）、支持柱３の取付基部３２が傾斜取付面４１に取り付けられていることによって、表示部２が、傾斜角度θの後傾姿勢で配されている。
このため、表示装置１１は、例えば地震に起因する外力が加えられたとしても、前方へ転倒し難い。また、表示部２の表示面２ａには、例えば室内灯の光が映り込み難い。何故ならば、傾斜角度θが２°以上10°以下だからである。特に傾斜角度θが３°である場合、表示面２ａへの映り込みと、表示装置１１の前方への転倒とを共に確実に抑制することができる。
【００４３】
仮に、表示部２の傾斜角度θが10°を超過している場合、表示面２ａに映り込みが生じ易くなる。たとえ映り込みが生じていなくとも、後方へ倒れ込みすぎている表示面２ａに表示される映像は視認し難い。
また、仮に、表示部２の傾斜角度θが２°未満である場合、又は、表示部２が鉛直姿勢で配されている場合、表示装置１１は、傾斜角度θが２°以上10°以下である場合よりも、前方へ転倒し易い。
ところで、図１３に示す表示装置の場合、載置基板４に延設部４５が設けられているため、表示部２が鉛直姿勢で配されているにもかかわらず、前方への転倒が抑制されている。
しかしながら、載置基板４に延設部４５が設けられている分、載置基板４が前後方向に大型化してしまう。
【００４４】
次に、載置基板４に平行載置面４２，４２が設けられていることによる利点を説明する。
図１４に示す表示装置のように、載置基板４に平行載置面４２，４２が設けられていない場合、光ディスクドライブ１３が傾斜姿勢で配される。傾斜面に光ディスクドライブ１３を取り付ける作業は、水平面に光ディスクドライブ１３を取り付ける作業よりも煩雑である。また、一般的な光ディスクドライブ１３は水平姿勢での使用を想定されているため、傾斜姿勢で使用すると不具合が起きる虞がある。
つまり、平行載置面４２，４２は、光ディスクドライブ１３の取り付けの作業性を向上させ、また、光ディスクドライブ１３の使用時の不具合を抑制することができる。
【００４５】
更に、本実施の形態のテレビジョン受信機１及び表示装置１１は、表示部２が適宜に後傾していることによって、デザイン性が高い。
ここで、支持柱３，３及び載置基板４が、部品製造工場において大量生産され、次いで、表示装置１１を組み立てる組立工場へ搬入される場合を考える。
載置基板４は比較的単純な平面的形状である。このため、複数個の載置基板４，４，…を安定的に積み重ねた状態で運搬することができる。故に、運搬中に各載置基板４に過大な外力が加わることが抑制され、延いては、外力によって載置基板４が無用に変形してしまうことが抑制される。従って、部品製造工場にて載置基板４の検査を行なえば、組立工場にて載置基板４の検査を行なわなくても特段の問題はない。
【００４６】
一方、支持柱３は載置基板４に比べて複雑な立体的形状である。このため、複数個の支持柱３，３，…を安定的に運搬することは困難である。故に、運搬中に各支持柱３に過大な外力が加わり、支持柱３が無用に変形してしまう虞がある。従って、支持柱３は、部品製造工場で検査されるだけでなく、組立工場でも検査される必要がある。
支持柱３の検査の際、支持柱３は、作業者が一般的な曲尺又は直角定規を用いて、取付先端部３１と取付基部３２とがなす角度が90°であるか否かを容易に判断することができる。曲尺又は直角定規は、部品製造工場及び組立工場の両方にて準備しなければならないが、安価且つ簡便に準備することができるため、大きな負担にはならない。
【００４７】
次に、表示装置１１と特許文献１に記載の表示装置との差異について述べる。
支持柱３，３に首振り機構が設けられていないため、表示装置１１は構成が簡単である。従って、表示装置１１は組み立て易く、壊れにくい。
次に、表示装置１１と特許文献２に記載の表示装置との差異について述べる。
支持柱３，３は載置基板４を貫通していない。このため、支持柱３，３の下部は載置面Ｔに接触していない。しかしながら、支持柱３，３は傾斜取付面４１，４１によって下側から支持されている。このため、支持柱３，３の下方への脱落を抑制することができる。しかも、支持柱３，３が載置基板４を貫通しない分、上下方向に小型の支持柱３，３を使用することができる。また、支持柱３，３の取付基部３２，３２を傾斜取付面４１，４１にボルトナット留めすれば、支持柱３，３の脱落を抑制するための複雑な機構は不要である。従って、表示装置１１は小型である上に、構成が簡単である。
【００４８】
実施の形態  ２．
本実施の形態のテレビジョン受信機１及び表示装置１１は、実施の形態１のテレビジョン受信機１及び表示装置１１と略同様の構成である。以下では、実施の形態１との差異について説明し、その他、実施の形態１に対応する部分には同一符号を付してそれらの説明を省略する。
【００４９】
図１５は、本発明の実施の形態２に係る表示装置１１の構成を示す側面概略図である。図１５は、実施の形態１の図１２及び図１３に対応する。
実施の形態１の支持柱３は、取付先端部３１を含む取付板部３３、取付先端部３１に対して垂直に配された取付基部３２、及び、取付板部３３と取付基部３２とを連結する左右の側板部３４１，３４２とを有する。
一方、本実施の形態の支持柱３は、取付先端部３１を含む取付板部３３、取付先端部３１に対して直角より小さい傾斜角度φで配された傾斜基部３５、及び、取付板部３３と傾斜基部３５とを連結する図示しない左右の側板部とを有する。
ここで、φはφ＝90−θの所定値である。
また、本実施の形態の載置基板４は、実施の形態１の突出部４０に替えて、突出部４００を有する。突出部４０には傾斜取付面４１が設けられているが、突出部４００には平行取付面４４が設けられている。
【００５０】
支持柱３の取付基部３２が傾斜取付面４１に取り付けられると、取付基部３２は、平行取付面４４と同様に、平行載置面４２に対し平行になる。従って、支持柱３の取付板部３３、延いては取付先端部３１は、平行載置面４２に対して傾斜角度θの後傾姿勢で配される。
以上のような表示装置１１も、実施の形態１の表示装置１１と略同様の利点を有する。
ただし、本実施の形態の表示装置１１の場合、支持柱３の検査の際、取付先端部３１と傾斜基部３５とがなす角度が所定角度φであるか否かを判断するために、例えば、所定角度φを有する検査用治具が必要である。
【００５１】
最後に、本発明の実施の形態についてまとめる。
【００５２】
本発明に係る表示装置１１は、後傾姿勢で配される表示部２と、該表示部２を支持する支持柱３と、該支持柱３を天面側で支持し、底面側を下側にして載置される載置基板４とを備える表示装置１１において、前記支持柱３は、前記表示部２の背面側に取り付けられる取付先端部３１と、該取付先端部３１に対して垂直に配され、前記載置基板４に取り付けられる取付基部３２とを有し、前記載置基板４は、前記取付基部３２が載置されて取り付けられ、後方に向けて下降傾斜する傾斜取付面４１を前記天面側に有することを特徴とする。
【００５３】
本発明に係る表示装置１１は、前記載置基板４は、前記表示部２に電気的に接続される光ディスクドライブ１３が載置されて取り付けられ、前記載置基板４が載置された場合に外部に接触する部分を通る前記底面側の仮想的な平面に対して平行な平行載置面４２を有することを特徴とする。
【００５４】
本発明に係る表示装置１１は、前記載置基板４は、金属板を用いてなり、前記天面側に台状に突出する突出部４０を有し、前記傾斜取付面４１は、前記突出部４０に設けられていることを特徴とする。
【００５５】
本発明に係る表示装置１１は、前記傾斜取付面４１の傾斜角度は２°以上10°以下であることを特徴とする。
【００５６】
本発明に係る表示装置１１は、後傾姿勢で配される表示部２と、該表示部２を支持する支持柱３と、該支持柱３を支持し、底面側を下側にして外部に載置される載置基板４とを備える表示装置１１において、前記支持柱３は、前記表示部２の背面側に取り付けられる取付先端部３１と、該取付先端部３１に対して直角より小さい所定傾斜角度で配され、前記載置基板４に取り付けられる傾斜基部３５とを有し、前記載置基板４は、前記傾斜基部３５が載置されて取り付けられ、前記載置基板４が載置された場合に外部に接触する部分を通る前記底面側の仮想的な平面に対して平行な平行取付面４４を天面側に有することを特徴とする。
【００５７】
本発明に係るテレビジョン受信機１は、本発明に係る表示装置１１と、テレビジョン放送を受信する受信部１２とを備え、該受信部にて受信したテレビジョン放送に基づいて、前記表示装置１１に映像を表示するようにしてあることを特徴とする。
【００５８】
本発明にあっては、表示部、支持柱、及び載置基板を備える。
以下では、載置基板の一面及び他面を天面及び底面という。
支持柱は載置基板の天面側に設けられた傾斜取付面又は平行取付面に載置されて取り付けられる。従って、支持柱及び支持柱が支持する表示部の荷重は載置基板の傾斜取付面又は平行取付面に加わる。換言すれば、支持柱は傾斜取付面又は平行取付面によって下側から支持される。このため、支持柱が下方へ脱落する虞はない。このような表示装置は構成が簡易である。
【００５９】
また、支持柱は載置基板を貫通しない。従って、支持柱は傾斜取付面又は平行取付面よりも下側に配される部分を必要としない。つまり、支持柱は、載置基板を貫通して載置基板に取り付けられる場合に比べて、長さ方向（高さ方向）に短縮される。
更に、取付先端部及び取付基部を有する支持柱の取付基部が傾斜取付面に取り付けられた場合、取付先端部は後傾姿勢で配される。一方、取付先端部及び傾斜基部を有する支持柱の傾斜基部が平行取付面に取り付けられた場合、取付先端部は後傾姿勢で配される。
後傾姿勢で配された取付先端部に取り付けられた表示部は、後傾姿勢で配される。
【００６０】
本発明にあっては、電気機器は載置基板の天面側に設けられた平行載置面に載置されて取り付けられる。平行載置面は、底面側の仮想的な平面に平行である。この仮想的な平面は、載置基板が載置された場合に載置基板が接触する部分を通る。故に、例えば載置基板が平坦な載置面に載置された場合、この仮想的な平面と載置面とは一致する。従って、載置基板が載置面に載置された場合、電気機器は載置面に平行に配される。つまり、電気機器が無用に傾斜姿勢で配されることはない。
【００６１】
本発明にあっては、載置基板の天面側に台状に突出する突出部に傾斜取付面が設けられている。
突出部を一体に有する載置基板は、例えば金属板にプレス絞り加工処理を施すことによって、容易に得られる。
【００６２】
本発明にあっては、傾斜取付面の傾斜角度は２°以上10°以下である。このため、取付先端部及び取付基部を有する支持柱の取付基部が傾斜取付面に取り付けられた場合、取付先端部は２°以上10°以下の後傾姿勢で配される。従って、取付先端部に取り付けられた表示部は、２°以上10°以下の後傾姿勢で配される。
表示部が２°以上10°以下の後傾姿勢で配された表示装置は、デザイン性が高い上に、前方へ転倒し難い。また、表示部に室内灯の光が映り込み難い。
【００６３】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビジョン受信機１又は表示装置１１に、実施の形態１，２に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００６４】
１    テレビジョン受信機
１１  表示装置
１２  受信部
１３  光ディスクドライブ（電気機器）
２    表示部
３    支持柱
３１  取付先端部
３２  取付基部
３５  傾斜基部
４    載置基板
４０  突出部
４１  傾斜取付面
４２  平行載置面
４４  平行取付面
【図１】
2015018184.tif 000003
【図２】
2015018184.tif 000004
【図３】
2015018184.tif 000005
【図４】
2015018184.tif 000006
【図５】
2015018184.tif 000007
【図６】
2015018184.tif 000008
【図７】
2015018184.tif 000009
【図８】
2015018184.tif 000010
【図９】
2015018184.tif 000011
【図１０】
2015018184.tif 000012
【図１１】
2015018184.tif 000013
【図１２】
2015018184.tif 000014
【図１３】
2015018184.tif 000015
【図１４】
2015018184.tif 000016
【図１５】
2015018184.tif 000017